(57)【要約】【課題】  例えば既設の天井板を取り外すことなく、吊りボルトを介して取り付けられた天井材の落下を防止することのできる天井材の落下防止構造。【解決手段】  吊りボルト（１１）を介して取り付けられた天井材（１３，１４，１５）の落下を防止する落下防止構造。天井材の落下を防止するように天井板（１５）の下面を覆う防護部材（１）と、天井板を貫通し、一端が吊りボルトに取り付けられ且つ他端が防護部材を吊下支持する支持部材（３）とを備えている。【選択図】  図２
2014201887.tif 000002
【特許請求の範囲】
【請求項１】
吊りボルトを介して取り付けられた天井材の落下を防止する落下防止構造であって、
前記天井材の落下を防止するように天井板の下面を覆う防護部材と、
前記天井板を貫通し、一端が前記吊りボルトに取り付けられ且つ他端が前記防護部材を吊下支持する支持部材とを備えていることを特徴とする天井材落下防止構造。
【請求項２】
前記防護部材は、網状の形態を有することを特徴とする請求項１に記載の天井材落下防止構造。
【請求項３】
前記防護部材を下側から支える水平部材をさらに備え、
前記支持部材は、前記水平部材および前記天井板を貫通し且つ両端に雄ねじが刻設された棒状部材を有することを特徴とする請求項１または２に記載の天井材落下防止構造。
【請求項４】
前記吊りボルトに連結され且つ前記棒状部材のための貫通孔が形成された連結部材をさらに備えていることを特徴とする請求項３に記載の天井材落下防止構造。
【請求項５】
吊りボルトを介して取り付けられた天井材の落下を防止する落下防止方法であって、
前記天井材の天井板に貫通孔を形成することと、
前記天井板の下面を覆うように前記天井材の落下防止用の防護部材を配置することと、
前記天井板の前記貫通孔を貫通した支持部材の一端を前記吊りボルトに取り付けることと、
前記支持部材の他端で前記防護部材を吊下支持することとを含むことを特徴とする天井材落下防止方法。
【請求項６】
前記貫通孔を形成することは、既設の前記天井板に前記貫通孔を形成することを含むことを特徴とする請求項５に記載の天井材落下防止方法。
【発明の詳細な説明】
【技術分野】
【０００１】
本発明は、天井材の落下防止構造および落下防止方法に関する。さらに詳細には、本発明は、吊りボルトを介して取り付けられた天井材の落下の防止に関するものである。
【背景技術】
【０００２】
従来、梁またはスラブに取り付けられた吊りボルトの下端にハンガーを取り付け、ハンガーに野縁受けを取り付け、野縁受けに野縁を取り付け、野縁に天井板をビス留めすることにより、天井を形成している場合が多い。先の東日本大震災では、吊りボルトを介して取り付けられた天井材（野縁受け、野縁、天井板など）が落下した事例が報告されている。地震による天井材の落下は、天井板と空調機器とで揺れ方が異なること、揺れの比較的大きい天井板が壁に衝突することなどに起因する。
【発明の概要】
【発明が解決しようとする課題】
【０００３】
例えば既設の建物において地震などによる天井材の落下を防止するには、天井板の下面を覆うようにネット（網状の部材）を設置する手法が比較的簡素で且つ有効である。しかしながら、従来技術では、既設の天井板を取り外すことなく、天井材以外の適切な部位において落下防止用のネットを支持する手法が具体的に提案されていない。天井板を取り外してから施工すると、施工のコストおよび工期がかかるだけでなく、比較的長い施工期間に亘って室内空間および／または室内設備を利用することができなくなる。
【０００４】
本発明は、前述の課題に鑑みてなされたものであり、例えば既設の天井板を取り外すことなく、吊りボルトを介して取り付けられた天井材の落下を防止することのできる、天井材の落下防止構造および落下防止方法を提供することを目的とする。
【課題を解決するための手段】
【０００５】
前記課題を解決するために、本発明の第１形態では、吊りボルトを介して取り付けられた天井材の落下を防止する落下防止構造であって、
前記天井材の落下を防止するように天井板の下面を覆う防護部材と、
前記天井板を貫通し、一端が前記吊りボルトに取り付けられ且つ他端が前記防護部材を吊下支持する支持部材とを備えていることを特徴とする天井材落下防止構造を提供する。
【０００６】
本発明の第２形態では、吊りボルトを介して取り付けられた天井材の落下を防止する落下防止方法であって、
前記天井材の天井板に貫通孔を形成することと、
前記天井板の下面を覆うように前記天井材の落下防止用の防護部材を配置することと、
前記天井板の前記貫通孔を貫通した支持部材の一端を前記吊りボルトに取り付けることと、
前記支持部材の他端で前記防護部材を吊下支持することとを含むことを特徴とする天井材落下防止方法を提供する。
【発明の効果】
【０００７】
本発明にかかる天井材の落下防止構造および落下防止方法では、天井板を貫通する支持部材の一端が吊りボルトに取り付けられ、その他端が天井材の落下防止用の防護部材を吊下状態で支持する。その結果、本発明では、例えば既設の天井板を取り外すことなく、天井材以外の適切な部位において落下防止用の防護部材を支持することができ、ひいては吊りボルトを介して取り付けられた天井材の落下を防止することができる。
【図面の簡単な説明】
【０００８】
【図１】本発明の実施形態にかかる天井材落下防止構造を概略的に示す図である。
【図２】本実施形態にかかる天井材落下防止構造の要部を拡大して示す図である。
【図３】図２の線Ａ−Ａに沿った断面図である。
【図４】図２の線Ｂ−Ｂに沿った断面図である。
【図５】水平部材の配置を下方から見た図である。
【発明を実施するための形態】
【０００９】
本発明の実施形態を、添付図面に基づいて説明する。図１は、本発明の実施形態にかかる天井材落下防止構造を概略的に示す図である。図２は、本実施形態にかかる天井材落下防止構造の要部を拡大して示す図である。本実施形態では、既設の建物において吊りボルトを介して取り付けられた天井材の落下の防止に対して本発明を適用している。
【００１０】
図１に示す天井では、従来技術にしたがって、図示を省略した梁またはスラブに取り付けられた吊りボルト１１の下端にハンガー１２が取り付けられ、ハンガー１２に野縁受け１３が取り付けられている。そして、野縁受け１３に野縁１４が取り付けられ、野縁１４に天井板１５がビス留めされている。
【００１１】
本実施形態にかかる天井材落下防止構造は、図２に示すように、吊りボルト１１を介して取り付けられた天井材（１３〜１５）の落下を防止するように天井板１５の下面を覆うネット１と、ネット１を下側から支える水平部材２と、水平部材２および天井板１５を貫通し且つ両端に雄ねじが刻設された棒状部材３と、吊りボルト１１に連結され且つ棒状部材３のための貫通孔が形成された連結部材４とを備えている。
【００１２】
連結部材４は、図３および図４に示すように、吊りボルト１１の側面のうちの一方の半円筒面に当接し且つ全体的に平面状の形態を有する第１部材４ａと、他方の半円筒面に当接し且つ全体的にＬ字状の断面形状を有する第２部材４ｂと、吊りボルト１１を両側から挟んだ状態で第１部材４ａと第２部材４ｂとを締結する一対のボルト４ｃとを有する。第２部材４ｂの水平方向に延びる部分には、棒状部材３のための貫通孔（不図示）が形成されている。
【００１３】
水平部材２として、例えば細長い矩形状の断面を有する平板を用いることができる。棒状部材３は、その本体の下側部分が水平部材２および天井板１５を貫通し、その下端部に刻設された雄ねじには水平部材２の下面に当接するナット３ａが螺合している。ナット３ａとして、非貫通孔に雌ねじが刻設された化粧ナットを用いることができる。また、棒状部材３は、その本体の上側部分が連結部材４の第２部材４ｂに設けられた貫通孔を貫通し、貫通した上端部に刻設された雄ねじにはナット３ｂが螺合している。
【００１４】
本実施形態では、一例として、縦横に所定のピッチＰで設けられた各吊りボルト１１に連結部材４（ひいては棒状部材３）を取り付けるのではなく、連結部材４が取り付けられる吊りボルト１１と連結部材４の取り付けられない吊りボルト１１とが交互に位置するように設定している。その結果、水平部材２は、図５に示すように下方から見ると、２×Ｐのピッチにしたがって縦横に配置された状態でネット１を下側から支えている。
【００１５】
本実施形態にかかる天井材落下防止構造の施工では、一例として、既設の天井板１５に棒状部材３のための貫通孔を形成する。また、天井板１５の下面を覆うように、天井材の落下防止用のネット１を配置する。そして、天井板１５の貫通孔に棒状部材３を通し、その棒状部材３の一端（上端）を、連結部材４を介して吊りボルト１１に取り付ける。具体的には、吊りボルト１１を両側から挟んだ状態で第１部材４ａと第２部材４ｂとを一対のボルト４ｃにより締結し、連結部材４の第２部材４ｂに設けられた貫通孔を貫通した棒状部材３の上端部に刻設された雄ねじにナット３ｂを取り付ける。
【００１６】
さらに、棒状部材３の他端でネット１を吊下状態で支持する。具体的には、水平部材２によりネット１を下側から支えた状態で、水平部材２および天井板１５を貫通した棒状部材３の下端部に刻設された雄ねじにナット３ａを取り付ける。なお、天井板１５の下面を覆うようにネット１を配置する作業、連結部材４を介して棒状部材３の一端を吊りボルト１１に取り付ける作業、水平部材２および天井板１５を貫通した棒状部材３の下端部にナット３ａを取り付ける作業については、上述の順序に限定されることなく様々な作業シーケンスが可能である。
【００１７】
以上のように、本実施形態では、天井板１５を貫通する支持部材としての棒状部材３の一端が連結部材４を介して吊りボルト１１に取り付けられ、その他端が水平部材２を介してネット１を吊下支持する。したがって、既設の天井板１５を取り外すことなく、天井材１５以外の適切な部位において所要のピッチで落下防止用のネット１を支持することができ、ひいては吊りボルト１１を介して取り付けられた天井材（１３〜１５）の落下を防止することができる。その結果、本実施形態では、施工のコストおよび工期の低減を図ることができるだけでなく、施工期間に亘って室内空間および／または室内設備を利用することができる。
【００１８】
なお、上述の実施形態では、天井材の落下を防止するように天井板１５の下面を覆う防護部材として網状の形態を有するネット１を用いている。しかしながら、これに限定されることなく、天井材の落下防止用の防護部材について様々な形態が可能である。例えば、比較的小さな孔が分布形成された面状の部材、孔の形成されていない連続面状の部材などを防護部材として用いることもできる。
【００１９】
また、上述の実施形態では、連結部材４が取り付けられる吊りボルト１１と連結部材４の取り付けられない吊りボルト１１とが交互に位置するように設定している。しかしながら、これに限定されることなく、ネット１を吊下支持する位置については様々な形態が可能である。
【００２０】
また、上述の実施形態では、天井板１５を貫通し、一端が吊りボルト１１に取り付けられ且つ他端がネット１を吊下支持する支持部材として、水平部材２および天井板１５を貫通し且つ両端に雄ねじが刻設された棒状部材３を用いている。しかしながら、これに限定されることなく、支持部材の具体的な構成については様々な形態が可能である。例えば、両端に雄ねじが刻設された棒状部材３に代えて、水平部材２および天井板１５を貫通し且つヘッドが水平部材２の下面に当接するように取り付けられるボルト部材を用いることもできる。
【００２１】
また、上述の実施形態では、吊りボルト１１を両側から挟んだ状態で連結部材４の第１部材４ａと第２部材４ｂとを一対のボルト４ｃにより締結している。しかしながら、これに限定されることなく、支持部材の一端を吊りボルトに取り付けるための連結部材の具体的な構成については様々な形態が可能である。
【００２２】
また、上述の実施形態では、既設の建物において吊りボルトを介して取り付けられた天井材の落下の防止に対して本発明を適用している。しかしながら、これに限定されることなく、新設の建物において吊りボルトを介して取り付けられた天井材の落下の防止に対しても同様に本発明を適用することができる。
【符号の説明】
【００２３】
１  ネット（防護部材）
２  水平部材
３  棒状部材
４  連結部材
１１  吊りボルト
１２  ハンガー
１３  野縁受け
１４  野縁
１５  天井板
【図１】
2014201887.tif 000003
【図２】
2014201887.tif 000004
【図３】
2014201887.tif 000005
【図４】
2014201887.tif 000006
【図５】
2014201887.tif 000007